(57)【要約】【課題】施工不良による漏水が生じにくく、また、経年によるシート劣化が生じたとしても漏水事故を生ずることがない防水構造を提供する。【解決手段】本発明の山部（１２，１５）及び谷部（１１）を有する下地Ａと、該下地Ａ上に敷設される断熱層Ｂと、該断熱層Ｂ上に配設される防水層Ｃと、からなる防水構造であって、下地Ａは、谷部又は山部の上方に形成される長手方向に連続状の空間の上方に臨む被固定部１６を有し、断熱層Ｂは、下地Ａの山部（１２，１５）上に板状断熱材２を配して形成されるものであり、防水層Ｃは、断熱層Ｂ上にて複数の防水シート３が接続されて形成されると共に下地Ａの被固定部１６に固定され、下地Ａの水下側端縁が、排水手段（８Ａ，８Ｂ）に連絡されていることを特徴とする。【選択図】図１
2017193945.tif 000002
【特許請求の範囲】
【請求項１】
山部及び谷部を有する下地と、該下地上に敷設される断熱層と、該断熱層上に配設される防水層と、からなる防水構造であって、
前記下地は、谷部又は山部の上方に形成される長手方向に連続状の空間の上方に臨む被固定部を有し、
前記断熱層は、前記下地の山部上に板状断熱材を配して形成されるものであり、
前記防水層は、前記断熱層上にて複数の防水シートが接続されて形成されると共に前記下地の被固定部に固定され、
前記下地の水下側端縁が、排水手段に連絡されていることを特徴とする防水構造。
【発明の詳細な説明】
【技術分野】
【０００１】
本発明は、施工不良による漏水が生じにくく、また、経年によるシート劣化が生じたとしても漏水事故を生ずることがない防水構造に関する。
【背景技術】
【０００２】
近年、陸屋根等の防水構造として、防水シートを用いた構造が多く採用されている。例えば特許文献１は、金属デッキ上に断熱材を介して防水シートを敷設する提案がなされている。
【先行技術文献】
【特許文献】
【０００３】
【特許文献１】特開２０１３−２５６７７１号公報
【発明の概要】
【発明が解決しようとする課題】
【０００４】
しかしながら、前記特許文献１に記載の構造では、防水シートの施工不良や経年によってシートが劣化した場合、そこから雨水が浸入する恐れのあるものであった。
【０００５】
そこで、本発明は、施工不良による漏水が生じにくく、また、経年によるシート劣化が生じたとしても漏水事故を生ずることがない防水構造を提案することを目的とする。
【課題を解決するための手段】
【０００６】
本発明は、上記に鑑み提案されたもので、山部及び谷部を有する下地と、該下地上に敷設される断熱層と、該断熱層上に配設される防水層と、からなる防水構造であって、前記下地は、谷部又は山部の上方に形成される長手方向に連続状の空間の上方に臨む被固定部を有し、前記断熱層は、前記下地の山部上に板状断熱材を配して形成されるものであり、前記防水層は、前記断熱層上にて複数の防水シートが接続されて形成されると共に前記下地の被固定部に固定され、前記下地の水下側端縁が、排水手段に連絡されていることを特徴とする防水構造に関するものである。
【発明の効果】
【０００７】
本発明の防水構造は、最表面側の防水層が、下地の被固定部に固定した複数の防水シートを接続して形成されるので、例えば強風時にめくり上がる等の問題を生ずることがなく安定に且つ強固に取り付けられ、しかも該防水層から万が一にも下地の被固定部にまで雨水等が浸入することがあったとしても、この下地に設けた排水手段にて排水することができる。
【図面の簡単な説明】
【０００８】
【図１】（ａ）本発明の第１実施例の防水構造の一部を示す正面図、（ｂ）防水層の固定部分を示す正面図、（ｃ）下地材を保持する保持部材を示す正面図、（ｄ）用いた下地材を示す正面図である。
【図２】第１実施例の排水手段を示す側断面図である。
【図３】（ａ）第２実施例の防水構造の一部を示す正面図、（ｂ）用いた接続部材を兼ねる架台を示す正面図、（ｃ）下地材を保持（受支）する受具を示す正面図、（ｄ）用いた下地材を示す正面図である。
【図４】（ａ）〜（ｃ）排水手段のバリエーションを示す側断面図、（ｄ）パラペット束廻り納まりを示す斜視図である。
【図５】（ａ）排水手段の他の態様におけるドレン納まりを示す側断面図、（ｂ）樋納まりを示す側断面図である。
【発明を実施するための形態】
【０００９】
本発明の防水構造は、山部及び谷部を有する下地と、該下地上に敷設される断熱層と、該断熱層上に配設される防水層と、からなる。
前記下地は、谷部又は山部の上方に形成される長手方向に連続状の空間の上方に臨む被固定部を有する。
また、前記断熱層は、前記下地の山部上に板状断熱材を配して形成される。
さらに、前記防水層は、前記断熱層上にて複数の防水シートが接続されて形成されると共に前記下地の被固定部に固定される。
そして、前記下地の水下側端縁は、排水手段に連絡されている。
【００１０】
まず、本発明の防水構造では最下層に位置する下地（層）は、前述のように山部及び谷部を有するものであって、谷部又は山部の上方に形成される長手方向に連続状の空間の上方に臨む被固定部を有する構成である。
この下地は、下地材のみにて形成されるものでもよいし、該下地材と、横方向に隣接する下地材の接続に用いられる接続部材の役目を果たすキャップ材、カバー材、架台などの別体を含めて形成されるものでもよい。
【００１１】
前記下地材としては、後述する第１実施例のようにこの下地材のみで下地を構成する場合、前述のように山部及び谷部を形成する部位を有し、被固定部を有するものであれば、主に金属製の折板、瓦棒葺き屋根、波板等からなるが、強度が得られるものであれば、硬質樹脂製の成形板であってもよい。なお、山部や谷部についてはその形状を限定するものではないが、この下地上に断熱層を敷設するため、山部上面が平坦状であることが望ましい。
【００１２】
また、この下地に形成する被固定部は、防水層を直接或いは間接的に取り付ける部位であり、万が一防水層を固定するビス等の固定具から雨水等が伝わっても下地裏面にまで達しないように谷部又は山部の上方に形成される長手方向に連続状の空間に延在している。
そのため、この被固定部は、下地材自体に形成するものでも、前記キャップ材や架台等の別体に設けるものでもよい。この被固定部を下地材に形成する態様では、後述する図示実施例のように山部から谷部の上方に延出するように被固定部を形成してもよい。
【００１３】
また、この下地材は、その水下側端縁が排水手段に連絡されている。
この排水手段としては、一般的な排水ドレン構造を用いることができ、排出口に向かって下り傾斜する構造や水切りや排水カバー等を適宜に併用して（組み合わせて）用いることができる。
【００１４】
即ちこの下地（層）は、通常の外装材として使用し得る下地材を、単独又はキャップ材や架台等の別体との併用で用いるとしても、最表層の防水層とは異なる第２の防水層として利用され得るものである。即ち最表層の防水層を固定するビスやネジ等の固定具（の先端）がこの下地層（第２の防水層）を破断するものでなければ、雨水が、この下地層の何れの箇所に落下することになったとしても、この下地層と連絡している排水手段にて確実に排水することができる。
【００１５】
次に、前記下地上に位置する断熱層は、前述のように前記下地の山部上に板状断熱材を配して形成されるものであって、特にその形状や隣接する板状断熱材同士の接続構成（構造）を限定するものではなく、端部を突き合わせるものでも相じゃくり（相決り）等の重合状であってもよい。
この断熱材としては、主に合成樹脂製の成形板が用いられるが、ガラス繊維板、木毛、木片、木繊維セメント板、セメント板と合成樹脂板等を積層した複合板であってもよい。
なお、谷部内にその一部が位置するものでもよく、即ち略均一厚みのボード状に限定される部分的に膨出状部分を有する構成でもよいし、複数の断熱材からなるものでもよい。
【００１６】
さらに、最表層（最上層）に位置する防水層は、前述のように前記断熱層上に配設され、複数の防水シートが接続されて形成されるものであって、前記下地の被固定部に固定される構成である。
ここで用いる防水シートとしては、各種の合成樹脂シートやゴムシートなどが広く用いられており、例えば塩ビ系（ポリ塩化ビニル(ＰＶＣ)製）の防水シートは、熱風溶接機などで容易に熱融着して接合できるため、施工性に優れたものである。なお、この塩ビ等の樹脂層に不織布（フェルト層）やポリクロス、ガラス繊維基布等の芯体又は補強体を積層した複合防水シートを用いてもよい。これらの複合防水シートは、平面方向に対する伸縮変形（寸法変化）が殆ど無く、物理的応力、特に平面方向の引伸及び厚み方向の圧縮に対する耐性が高いという利点がある。
【００１７】
また、この防水層を前記下地の被固定部に固定する手段としては、後述する図示実施例のように固定板を介してビスやネジ等の固着具を打ち込んで、その下端を前記下地の被固定部に到達させるという構造が最も簡易な構造であるが、特にこれに限定されるものではない。
【００１８】
これらの各層から構成される本発明の防水構造は、最表面側の防水層が下地の被固定部に固定した複数の防水シートを接続して形成されるので、例えば強風時にめくり上がる等の問題を生ずることがなく安定に且つ強固に取り付けられ、しかも該防水層から万が一下地の被固定部にまで雨水等が浸入することがあったとしても、該下地に設けた排水手段にて排水することができる。
【実施例１】
【００１９】
図１（ａ）に示す本発明の第１実施例の防水構造は、山部１２，１５及び谷部１１を有する下地Ａと、該下地Ａ上に敷設される断熱層Ｂと、該断熱層Ｂ上に配設される複数の防水シート３などにて形成される防水層Ｃと、からなり、前記下地Ａを形成する下地材１の水下側端縁が、図２に示す排水手段（８Ａ，８Ｂ）に連絡されている。
【００２０】
この第１実施例の前記下地Ａは、略平坦状の面板部１１の左右の側縁を非対称に立ち上げた金属製の折板である下地材１のみで構成され、図１（ｄ）に示すように右側の立ち上げ部１２の上端には、外側へ膨出状の被保持部が設けられ、更にその上端を折り返して下方へ窪む排水溝１４が設けられ、該排水溝１４の外方には延在させた被重合部１３が設けられ、その先端には下向き片１３１が形成されている。それに対し、左側の立ち上げ部１５は広い傾斜面板状であり、その上端を外側へ折曲して配設状態では隣り合う下地材１の被重合部１３にオーバーハング状に重合する重合部１６が略水平状で幅広な面板状に形成されている。なお、重合部１６の先端には、下方へ折り下げて更に略水平状に折り返した折り返し状片１６１が形成されている。
当該第１実施例では、前述のようにこの下地材１のみで下地Ａを構成するものであり、山部とは左右に隣接する下地材１，１の立ち上がり部１２，１５で形成され、谷部とは面板部１１を底面とするものであり、被固定部とは前記重合部１６を指し、長手方向に連続状の空間とは、谷部１１の上方空間を指すものである。
【００２１】
前記被保持部は、下方へく字状に折曲された下部分１２１と上方へく字状に折曲された上部分１２３とその間を繋ぐ中部分１２２とからなり、図１（ｃ）に示される保持部材６に上下から嵌合状に保持されるものである。
【００２２】
前記下地材１の取付構造を説明すると、略水平状に取り付けられた躯体４Ａに略門状のタイトフレームが支持部材４Ｂとして一体的に固定され、該支持部材４Ｂに取り付けられた図１（ｃ）に示す保持部材６にて前記下地材１を保持している。
この保持部材６は、下方が開放する上係合部６１を有する上部材６ａと上方が開放する下係合部６２を有する下部材６ｂとが前記支持部材４Ｂの横片部にボルト６ｃ、ナット６ｄにて取り付けられている。
そのため、前記下地材１の被保持部は、前記保持部材６に保持されるが、より詳しくは保持部材６の上係合部６１に被保持部の上部分１２３が係合され、下係合部６２に下部分１２１が係合され、下部材６ｂの傾斜片に被保持部の中部分１２２が当接される状態で安定に保持される。
【００２３】
この第１実施例の前記断熱層Ｂは、前記下地Ａ上に敷設されるものであって、前記下地Ａの山部１２，１５上に板状断熱材２を配して形成される。
前記板状断熱材２は、前記下地Ａに形成される複数の山部（１２，１５）、及び被固定部１６に亘って配設される合成樹脂製の成形板である。
【００２４】
この第１実施例の前記防水層Ｃは、前記断熱層Ｂ上に配設される複数の防水シート３が接続されて形成されるものであり、前記下地Ａの被固定部１６に固定される。
前記防水層Ｃは、第１層目の防水シート３の上に固定板５ａを配すると共に固着具５ｂを打ち込み、その下端を前記下地ａの被固定部１６に到達させて固定し、それを覆うように第２層目の防水シート３を積層状に敷設して形成される。
【００２５】
図２は、前記第１実施例の下地材１の水下側の端縁構造を示すものであって、符号９Ａで示す外装材、符号９Ｂで示すパラペット束、符号９Ｃで示す笠木等の構成は、本発明の防水構造には直接的には関係のない構造であるため、説明を省略するが、下地材１の面板部（谷部）１１は図中の右端である排出口に向かって下り傾斜しており、当該排水口付近には水切り８Ｂや排水カバー８Ａ等が配されている。
【００２６】
これらの各層Ａ〜Ｃから構成される第１実施例の防水構造は、最表面側の防水層Ｃが下地Ａの被固定部１６に固定した複数の防水シート３を接続して形成されるので、例えば強風時にめくり上がる等の問題を生ずることがなく安定に且つ強固に取り付けられ、しかも該防水層Ｃから万が一下地Ａの被固定部１６にまで雨水等が浸入することがあったとしても、該下地Ａに連絡された排水手段８Ａ，８Ｂにて排水することができる。
【００２７】
なお、雨水の浸入が想定されるのは、前述の防水シート３を固定する固着具５ｂを伝って被固定部１６に至る場合であるが、図中にしずくマークで示すように、防水シート３の施工不良や経年による防水シート３の劣化箇所は想定できない。しかし、前述のように下地Ａは、最表層の防水層Ｃとは異なる第２の防水層として利用され得るものであるから、施工不良や劣化等が生じても特に支障はない。
【００２８】
図３（ａ）に示す第２実施例の防水構造（の一部）は、断熱層Ｂ及び防水層Ｃに関しては前記第１実施例と全く同様であるから、図面に同一符号を付して説明を省略するが、下地層Ａに関しては、下地材１Ｂと、横方向に隣接する下地材１Ｂ，１Ｂの接続部材を兼ねる架台７とで形成されるものである。
【００２９】
前記下地材１Ｂは、図３（ｄ）に示すように略平坦状の面板部１１'の左右の側縁を対称状に立ち上げた金属製の折板であり、こうして立ち上げた傾斜状の各立ち上げ部１７の中程に外側へ略く字状に折曲された嵌合下部１７１が設けられ、その上端には内側へ略く字状に折曲された嵌合上部１７２が設けられ、更に上方へ屈折状に立ち上がる被覆片部１７３、下方へＵ字状に屈曲された第二嵌合部１７４が延設された構成である。
【００３０】
また、前記架台７は、図３（ｂ）に示すように略平坦状の上面部７１の下面側の左右にそれぞれ空間７２を有し、下方へ延在する脚片７３を有する略眼鏡フレーム状の成形体であり、各脚片７３の下端には内側へ跳ね上げ状に形成された上向き係止片７３１が延設されている。
【００３１】
前記下地材１Ｂの取付構造を説明すると、略水平状に取り付けられた躯体４Ａにタイトフレームが支持部材４Ｃとして一体的に固定され、該支持部材４Ｃに取り付けられた図３（ｃ）に示す受具６Ｅにて前記下地材１Ｂを保持している。
この受具６Ｅは、底面の前後が立ち上がる略コ字状の金属製ピースであって、前記支持部材４Ｃの上片に下方から固定され、略扇状の受面６３を備える。この受面６３は、中央に上方が開放する凹部６３１を有し、上端縁を前後に折り曲げて水平受面部６３２が形成され、その下方の傾斜縁部６３３を介して側方に突出状の嵌合上受部６３４が形成され、その下方に隅部状の嵌合下受部６３５が形成されている。
そのため、前記下地材１Ｂの立ち上げ部１７は、前記受具６Ｅに保持されるが、より詳しくは受具６Ｅの水平受面部６３２及び傾斜縁部６３３に立ち上げ部１７の被覆片部１７３が受支され、嵌合上受部６３４に嵌合上部１７２が係合され、嵌合下受部６３５に嵌合下部１７１が係合される状態で安定に保持（受支）される。なお、受具６Ｅの凹部６３１には、左右の立ち上げ部１７，１７の第二嵌合部１７４，１７４が係合される。
【００３２】
これらの各層Ａ〜Ｃから構成される第２実施例の防水構造は、最表面側の防水層Ｃが下地Ａの被固定部７１に固定した複数の防水シート３を接続して形成されるので、例えば強風時にめくり上がる等の問題を生ずることがなく安定に且つ強固に取り付けられ、しかも該防水層Ｃから万が一下地Ａの被固定部７１にまで雨水等が浸入することがあったとしても空間７２までで、下地材１Ｂの裏面側に雨水が回り込むことがなく、例えば前記図２にて示した排水手段８Ａ，８Ｂ等にて容易に水下端より排水することができる。
【００３３】
また、この第２実施例においても、前記第１実施例にて説明した想定できない箇所の浸水があっても同様に対処することができる。即ち図中にしずくマークで示すように、防水シート３の施工不良や経年による防水シート３の劣化箇所は想定できないが、下地Ａは、最表層の防水層Ｃとは異なる第２の防水層として利用され得るものであるから、施工不良や劣化等が生じても特に支障はない。
【００３４】
図４は、前記第１実施例の下地材１の水下側の端縁に付設する排水手段のバリエーションを示すものであって、下地Ａ、断熱層Ｂ、防水層Ｃ、外装材９Ａ、パラペット束９Ｂ、笠木９Ｃに関しては、前記図２と全く同様であるが、図４（ａ）に示す排水構造は、下地Ａの突出程度が少ないので、排水カバー８Ａ'の膨らみ程度も少ないものを用いた以外は前記図２と殆ど同様である。
図４（ｂ）に示す排水構造は、下地Ａの突出程度が更に少なく、排水カバー８Ａに代えて水切り８Ｂをドレン管８Ｃに連絡して雨水を排出する構造である。
図４（ｃ）に示す排水構造は、下地Ａの突出程度が少ない分だけ水切り８Ｂ"を長く且つ下り勾配に設けて排水カバー８Ａ'に連絡している。なお、水切り８Ｂ"の途中に存在するシーリング９Ｄは、同図（ｄ）に斜視図で示したパラペット束廻りの納まりに用いられるものである。
【００３５】
図５は、下地Ａが連絡する排水手段として樋８Ｅを用いた態様を示すものであって、この樋８Ｅは、横樋８１による下地Ａに浸入した水の排出と、縦ドレン８２による防水層Ｃ上の雨水の排出を兼ね、更に縦樋８３による外部への排出をも兼ねるものである。
前記横樋８１は、図面の手前側から奥行き方向へ勾配を設けて配置されるものであり、勾配の最底部には外部に排出する縦樋８３が連結されている。また、前記縦ドレン８２は、図面の左方から右方へ付けられた緩傾斜に沿って防水層Ｃ上を流れる雨水が落ち葉よけ８４を通過して前記横樋８１へ導かれるものである。即ち図５（ａ）にはこれらの縦樋８３や縦ドレン８２を示してドレン納まりを記載したが、前記勾配の最底部に相当し、図５（ｂ）は、それ以外の縦樋８３が無い部分を記載している。なお、図中の逆三角で示すラインは、水平レベルを表示している。
また、図中、９Ｃは笠木で、９Ｅは捨て笠木で、９Ｆは外壁（耐火金属サンドイッチパネル）であり、９１は立上り、９２は断熱材、９３は高圧木毛セメント板、９４は縦胴縁を示すものである。
【符号の説明】
【００３６】
Ａ  下地
Ｂ  断熱層
Ｃ  防水層
１  下地材
１１  面板部（谷部）
１２，１５  立ち上げ部（山部）
１６  被固定部
２  断熱材
３  防水シート
８Ａ，８Ｂ，８Ｅ  排水手段
【図１】
2017193945.tif 000003
【図２】
2017193945.tif 000004
【図３】
2017193945.tif 000005
【図４】
2017193945.tif 000006
【図５】
2017193945.tif 000007